(57)【要約】      （修正有）【課題】斜めの縞柄のあるネクタイを首に結んだ際に、前垂れ部と結び目部の斜めの縞柄が同一方向となるようにしたネクタイとその製造方法を提供する。【解決手段】右傾斜または左傾斜の縞柄の前垂れ部１と、この前垂れ部１と傾斜方向の異なる結び目部２及び首回り部３及び後ろ部４とを、繋ぎ目Ａで縫い合わせて構成する。【効果】ネクタイ本体を首に結んだ際に、前垂れ部と結び目部の斜めの縞柄が同一方向となるため、新しく斬新なデザインとなる。【選択図】図１
2011246863.tif 000002
【特許請求の範囲】
【請求項１】
斜めの縞柄のネクタイにおいて、右傾斜または左傾斜の縞柄の前垂れ部と、この前垂れ部と傾斜方向の異なる結び目部及び首回り部及び後ろ部とを繋いで構成したことを特徴とするネクタイ。
【請求項２】
縞柄の生地を左傾斜又は右傾斜に裁断して前垂れ部を作る工程と、縞柄の生地を上記前垂れ部と異なる傾斜方向に裁断して結び目部及び首回り部及び後ろ部を作る工程と、上記両者を繋ぎ縫い合わせる工程を含んだことを特徴とするネクタイの製造方法。
【請求項３】
斜めの縞柄のネクタイを結んだ形に形成し、その結び目を固定し、結び目部の中に入っている首回り部を押し上げ引き下げて首回り部の長さを調整できることを特徴としたネクタイである。
【請求項４】
上述の、結んだ形に形成したネクタイの首回りの後ろ部の先において、首からネクタイをはずすとき、後ろ部を引き抜いてしまわないようにするため、後ろ部の先端に抜け止をつけたことを特徴とするネクタイである。
【発明の詳細な説明】
【技術分野】
【０００１】  本発明は、斜めの縞柄のあるネクタイ及び製造方法に関するものである。
【背景技術】
【０００２】  従来の斜めの縞柄のあるネクタイは、ネクタイ生地を裁断する際には、例えば、横に縞柄のある生地において（以下、縞柄のある生地と言う）、同じ方向に斜めに裁断してある。すなわち、前垂れ部及び結び目部と、首回り部と、後ろ部の３枚の布を縫合しているものがある。また、前垂れ部及び結び目部と、首回り部及び後ろ部の２枚の布を縫合して、１本のネクタイを完成させたものである。そのネクタイを首に結んだ際には、前垂れ部と結び目部のストライプの傾斜が左右逆方向になり、ストライプの傾斜方向が異なっていた。
【発明の開示】
【発明が解決しようとする課題】
【０００３】  上記のように従来の斜めの縞柄のあるネクタイは、ネクタイを首に結んだ際に、結び目と前垂れ部のストライプの傾斜方向が異なっているのは、あまりにも一般的である。【０００４】  この発明は、上述の様な課題を解決する為になされたもので、斜めの縞柄のあるネクタイを首に結んだ際に、前垂れ部と結び目部の斜めの縞柄が同一方向となるようにしたネクタイを提供することを目的とする。
【問題を解決するための手段】
【０００５】  この発明のネクタイは、斜めの縞柄のネクタイにおいて、右傾斜または左傾斜の縞柄の前垂れ部と、この前垂れ部を傾斜方向の異なる結び目部及び首回り部及び後ろ部とを繋いで構成したものである。
【０００６】  また、縞柄の生地を左傾斜又は右傾斜に裁断して前垂れ部を作る工程と、縞柄の生地を上記前垂れ部と異なる傾斜方向に裁断して結び目部及び首回り部及び後ろ部を作る工程と、上記両者を繋ぎ縫い合わせる工程と含む製造方法である。
【発明の効果】
【０００７】  この発明のネクタイは、右傾斜または左傾斜の縞柄の前垂れ部と、この前垂れ部と傾斜方向の異なる結び目部及び首回り部及び後ろ部とを繋いで構成したので、ネクタイ本体を首に結んだ際に、前垂れ部と結び目部の斜めの縞柄が同一方向となるため、新しく斬新なデザインとなる。
【発明を実施するための形態】
【０００８】
【実施例１】
【０００９】  図１は、この発明の一実施例を示すネクタイの正面図である。図２は、図１のネクタイ生地の裁断前の状態を示す一部を切り欠いた平面図である。図３は、図１に示すネクタイの後ろ部を示す一部を切り欠いた背面図である。図において、１０はネクタイ本体であり、前垂れ部１と、結び目部２及び首回り部３及び後ろ部４とを繋ぎ目Ａで縫い合わせている。５は抜け止であり、図３に示す通り、後ろ部４に縫い付けられ、首回り部３を押し上げた際に首回り部３が結び目から抜け出ないようになされている。【００１０】  ネクタイ本体１０の前垂れ部１は、図２に示すとおり、左傾斜に裁断して横方向への縞柄のある生地に向かって裁断する。結び目部２及び首回り部３及び後ろ部４は、右傾斜に裁断して横方向への縞柄のある生地に向かって裁断する。なお、前垂れ部１の長さと、結び目部２及び首回り部３及び後ろ部４を合計した長さの割合は、約１対２に形成されている。
なお、上述の材料取りは、前垂れ部１を右傾斜、結び目部２及び首回り部３及び後ろ部４は、左傾斜としても良い。【００１１】  図４は、この発明のネクタイを結んだ状態を示す正面から見た斜視図である。図５は、この発明のネクタイを結んだ状態を示す背面から見た斜視図である。図６は、結び目部を正面から見た拡大図である。図７は、結び目部を背面から見た拡大図である。【００１２】  先ず、ネクタイ本体１０を図４に示す形状に結ぶ。その結び目部２を固定し、結び目部２の中に入っている首回り部３を矢印方向へ押し上げたり引き下げたりして、首回り部３の長さを調整できるようになされている。【００１３】  また、図６に示すように、結び目部２の中にある首回り部３の６の部分は止めないようにして、ほかに部分の結び目部２が解けないように第一の止め糸７で止めている。
また、図７に示すように、結び目部２と首回り部３を、結び目部２が解けないように第二の止め糸８と第三の止め糸９で止めている。【００１４】  上述のように構成されたネクタイは、前から見ても繋ぎ目Ａが見えないように隠れるように自分で結んでもいい。【００１５】  この発明のネクタイは、右傾斜または左傾斜の縞柄の前垂れ部１と、この前垂れ部１と傾斜方向の異なる結び目部２及び首回り部３及び後ろ部４とを繋いで構成したので、ネクタイ本体１０を首に結んだ際に、前垂れ部と結び目部の斜めの縞柄が同一方向となる。【００１６】  また、ネクタイ本体１０を結んだ状態に形成して、結び目部２の中に入っている首回り部３の止め糸で止めない部分６は後ろ部４は固定せず、他の３点を第一の止め糸７と第二の止め糸８と第三の止め糸９とで固定すると、毎回結ぶ必要もなくなり、首回りの細い人や太い人にも長さが容易に調整できるので大変便利である。【００１７】  また、結んだ形に形成したネクタイ本体１０の首回りの後ろ部４の先端において、首回り部３を押し上げた際に首回り部３が結び目部２から抜け出ないようにするため、抜け止５をつけたので、抜けることがないので安心して使用できる。
【図面の簡単な説明】
【００１８】
【図１】  この発明の一実施例を示すネクタイの正面図である。
【図２】  図１のネクタイ生地の裁断前の状態を示す一部を切り欠いた平面図である。
【図３】  図１に示すネクタイの後ろ部を示す一部を切り欠いた背面図である。
【図４】  この発明のネクタイを結んだ状態を示す正面から見た斜視図である。この発明の一実施例を示す背面図である。
【図５】  この発明のネクタイを結んだ状態を示す背面から見た斜視図である。
【図６】  結び目部を正面から見た拡大図である。
【図７】  結び目部を背面から見た拡大図である。
【符号の説明】
【００１９】１  前垂れ部、２  結び目部、３  首回り部、４  後ろ部、５  抜け止、
６  止め糸で止めない部分、７  第一の止め糸、８  第二の止め糸、９  第三の止め糸、
１０  ネクタイ本体、
Ａ  繋ぎ目。
【図１】
2011246863.tif 000003
【図２】
2011246863.tif 000004
【図３】
2011246863.tif 000005
【図４】
2011246863.tif 000006
【図５】
2011246863.tif 000007
【図６】
2011246863.tif 000008
【図７】
2011246863.tif 000009